(57)【要約】【課題】無理抜き対策として、カム部材のうち、ピン部材と係合する係止部を復帰可能に移動するようにして、カム部に擦り傷を付けたり破損の虞もなく、しかも可動体に対する係止力を一定に維持できるようにする。【解決手段】可動体２を、カム部材４に対するピン部材５の係合を介して本体１の第１位置に係止し、該第１位置から押した後、該押し力を解放することで前記係合を解除して第２位置へ切換可能にするプッシュ・プッシュ式のラッチ装置において、カム部材５は、ピン部材５と係合する係止部４２ｅを含む箇所を分割した分割体４０を有していると共に、ピン部材５と係合した状態で、分割体４０がピン部材５を介して一定値以上の負荷を受けると、該負荷を吸収する方向への移動を伴ってピン部材５との係合を解除されるようにした。【選択図】図１
2008208684.tif 000002
【特許請求の範囲】
【請求項１】
可動体及び本体にそれぞれ対応して設けられるカム部材と該カム部材に係脱するピン部材とを有し、前記可動体を、前記カム部材に対する前記ピン部材の係合を介して前記本体の第１位置に係止し、該第１位置から押した後、該押し力を解放することで前記係合を解除して第２位置へ切換可能にするプッシュ・プッシュ式のラッチ装置において、
前記カム部材は、前記ピン部材と係合する係止部を含む箇所を分割した分割体を有していると共に、前記ピン部材と係合した状態で、前記分割体が前記ピン部材を介して一定値以上の負荷を受けると、該負荷を吸収する方向への移動を伴って前記ピン部材との係合を解除可能となることを特徴とするラッチ装置。
【請求項２】
前記カム部材は、前記分割体を前記一定値以上の負荷を受けたときに正規位置から移動可能にする移動規制手段と、前記ピン部材との係合を解除した後、前記分割体を再び前記正規位置に復帰可能にする付勢手段とを有していることを特徴とする請求項１に記載のラッチ装置。
【請求項３】
前記カム部材は、前記分割体と該分割体を回動可能に支持しているベースとを有していることを特徴とする請求項１又は２に記載のラッチ装置。
【請求項４】
前記カム部材は、前記分割体の下面に突出されて前記ベースに設けられた支持孔に挿通される軸部と、該軸部の先端側に固定されて軸部と一体に回動される連結板と、前記ベースの下面と前記連結板との間に配置されて前記分割体を前記ベース側へ付勢して軸方向の遊びを吸収する付勢手段とを有していることを特徴とする請求項３に記載のラッチ装置。
【請求項５】
前記付勢手段は、請求項２の付勢手段を兼ねていることを特徴とする請求項４に記載のラッチ装置。
【請求項６】
本体に対し可動体を開位置又は途中から付勢力に抗した押し操作により閉位置に切り換えると共に、ラッチ装置を介して閉位置に係止する開閉装置において、前記ラッチ装置として請求項１から５の何れかに記載のラッチ装置を使用していることを特徴とする開閉装置。
【発明の詳細な説明】
【技術分野】
【０００１】
本発明は、本体に対し可動体を係脱するときに用いられるラッチ装置のうち、特にプッシュ・プッシュ式（これはプッシュロック・プッシュオープン式あるいはオルタネート式と称されることもある。以下、同じ）のラッチ装置及びそれを用いた開閉装置に関するものである。
【背景技術】
【０００２】
プッシュ・プッシュ式のラッチ装置は、可動体及び本体にそれぞれ対応して設けられるカム部材と該カム部材に係脱するピン部材とを有し、可動体を、カム部材に対するピン部材の係合を介して本体の第１位置に係止し、該第１位置から押した後、該押し力を解放することで前記係合を解除して第２位置へ切換可能にするものであり、係止及び解除共に可動体の押し操作により行える点で優れている。装置構造としては、図１２に例示されるスイングタイプと、図１３に例示されるハートカムタイプとに大別される。
【０００３】
図１２のラッチ装置（ロック装置）は特開２００２−３０３０７０号に挙げられているもので、同（ａ）は係止状態を、同（ｂ）は係止解除過程を示している。この例では、可動体５１が引出体などでありケース５０に対し不図示の付勢手段の付勢力に抗し収納側であるＣ方向へ押し入れられ、逆に使用側であるＯ方向へ付勢移動される。ラッチ装置５２は、ケース５０に設けられたカム部材５３と、該カム部材５３を付勢している付勢ばね５５と、可動体５１に設けられたピン部材５４とからなり、可動体５１を押し操作で収納位置に係止し、該係止を次の押し操作により解除する。ここで、カム部材５３は、前部片５６及び縦スリット５７で隔てられた後部片５８からなる。前部片５６は、前端縁を形成している傾斜カム面５６ａと、後端縁の一部に設けられた係止用カム溝５６ｂと、前後方向へ延びる解除用直線傾斜カム溝５６ｃとを有している。後部片５８は、軸用取付孔と、前端縁からカム溝５６ｂに向け突出した突起５８ａと、後縁部に突設された当接突起５８ｂとを有している。そして、カム部材５３は、ケース５０側に軸Ｓを介し旋回可能に枢支される。付勢ばね５５は、一端がカム部材５３に係止され、他端がケース５０側に突設したストッパー５９に係止された状態で、当接突起５８ｂがストッパー５９の対応端と当たるまで付勢ばね５５により時計回りに旋回付勢されている。
【０００４】
作用特徴は、可動体５１を押し操作によりケース５０内へ押し込めると、ピン部材５４が傾斜カム面５６ａと当たった後、カム部材５３を軸Ｓを支点として付勢ばね５５に抗し反時計回りに旋回しつつカム溝５６ｂまで入り込む。押し力を解放すると、カム部材５３が付勢力で時計回りに旋回し、ピン部材５４がカム溝５６ｂの内側角部に係合される。可動体５１は該係合により収納位置に係止される。可動体５１をケース５０から引き出すときは、可動体５１を押し操作すると、ピン部材５４はカム部材５３の時計回りの旋回を伴って同（ｂ）の如くカム溝５６ｂから直線傾斜カム溝５６ｃ側へ移行する。押し力を解放すると、ピン部材５４は直線傾斜カム溝５６ｃに沿って移動し、同時に、可動体５１は付勢力にて突出方向へ移動される。なお、符号６０はガイド６１に案内され、かつスプリング６２により前方へ押されている慣性ストッパーである。該慣性ストッパー６０は、可動体５１が収納位置で押し操作と同様な慣性力を受けると、スプリング６２に抗して後進し、同（ａ）のごとくカム部材５３の対応側部に接近することでカム部材５３の係止解除方向への旋回を不能にする。
【０００５】
図１３のラッチ装置（ラッチ手段）は特許文献１に開示のもので、同（ａ）は蓋の閉状態でラッチ装置の全体を示し、同（ｂ）はカム部材の要部を示している。この例では、蓋２がボックス１に対し付勢手段の付勢力に抗し閉方向へ回動されてラッチ装置４を介して閉位置に係止されている。ラッチ装置４は、ボックス１側に設けられたハート形カム６ｃと、蓋２側に設けられたピン部材（可動ピン）５４と、押圧部材８とを有し、蓋２を押し操作で閉位置に係止し、該係止を次の押し操作により解除する点でスプリングタイプと類似する。
【０００６】
以上のようなラッチ装置では、カム部材とピン部材との係合つまり蓋の係止状態で無理抜き方向に過剰な負荷（例えば、蓋の枢着部側を無理に押したり、蓋の開放端側を無理にこじ開ける操作に起因した過剰な負荷）を受けた場合、係合位置にあったピン部材５４の先端がカム溝から押し上げられて該カムから外れ、蓋が開き放しや閉じ放しになりやすく、またカム部に擦り傷ができてピン部材との係合位置がずれたり操作感が悪くなることもあり、しかも無理抜きで係止解除されると、ピン部材の変形・破損・脱落の虞、更に不快な音が生じることもある。
【０００７】
そこで、特許文献１のラッチ装置では次のような対策を採用している。すなわち、この構造では、第１カム溝６ａと第２カム溝６ｂ及び係止凹部６ｄを形成しているハート形カム６ｃと、前記第１，第２カム溝内を摺動しながら、先端部が係止凹部６ｄに係合されることで蓋２を閉位置に係止するピン部材７とより構成すると共に、ハート形カム６ｃの係止凹部６ｄ近傍に、該係止凹部６ｄに係止されたピン部材７の先端部に無理な押し上げ力が作用した際、ピン部材７の先端を第１カム溝６ａ又は第２カム溝６ｂ側へ弾き出す面取り部６ｉなどを形成したものである。
【特許文献１】特許第３６７１８２４号公報
【発明の開示】
【発明が解決しようとする課題】
【０００８】
上記した従来対策では、カム側係止凹部の付近に面取り部や斜面を形成して、無理抜き方向に過剰な負荷を受けたときピン部材が係止凹部から面取り部や斜面を介して第１カム溝や第２カム溝側へ外れやすい構成としているが、次のような点から未だ満足できない。すなわち、従来対策では、ピン部材と係止凹部の係合力つまり蓋に対する係止力が弱くなったりばらつきやすくなりそれに起因して歩留まりが悪くなる。しかも、継続使用によりピン部材と係合する係止部の位置がずれたり蓋の係止位置もずれやすくなって品質を維持できない。
【０００９】
そこで、本発明の目的は、スイングタイプやハートカムタイプのラッチ装置において、無理抜き方向の過剰な負荷を受けたときに、カム部材のうち、ピン部材と係合する係止部を復帰可能に移動するようにして、上記した擦り傷を付けたり破損の虞もなく、しかも可動体に対する係止力を一定に維持でき、それにより誤作動の発生を抑えて品質及び信頼性を向上することにある。
【課題を解決するための手段】
【００１０】
上記目的を達成するために、請求項１の発明は、可動体及び本体にそれぞれ対応して設けられるカム部材と該カム部材に係脱するピン部材とを有し、前記可動体を、前記カム部材に対する前記ピン部材の係合を介して前記本体の第１位置に係止し、該第１位置から押した後、該押し力を解放することで前記係合を解除して第２位置へ切換可能にするプッシュ・プッシュ式のラッチ装置において、前記カム部材は、前記ピン部材と係合する係止部を含む箇所を分割した分割体を有していると共に、前記ピン部材と係合した状態で、前記分割体が前記ピン部材を介して一定値以上の負荷を受けると、該負荷を吸収する方向への移動を伴って前記ピン部材との係合を解除可能となることを特徴としている。
【００１１】
以上の本発明において、ラッチ装置は、プッシュ・プッシュ式であれば形態例に挙げたようなハートカムタイプに限られず、図１２に例示されるようなスイングタイプであってもよい。カム部材は、ピン部材と係合する係止部（形態例の係止凹部、図１２のスイングタイプの場合だとカム溝５６ｂ）を含む箇所を分割した分割体を有していることが必須となる。この分割体は、形態例のごとくハートカムの主要部をベースから分割する構成でなくとも、例えば、ハートカムタイプの場合だとハートカム（ハート形凸部又は島と称されている部分）だけをベースから分割するようにしてもよい。また、本体の第１位置及び第２位置は、例えば、可動体が図１３のような蓋であれば一方が開位置で他方が閉位置となり、可動体が図１２のような引出体であれば一方が引出位置で他方が収納位置となる。
【００１２】
以上の本発明は次のように具体化されることがより好ましい。
(ア)前記カム部材は、前記分割体を前記一定値以上の負荷を受けたときに正規位置から移動可能にする移動規制手段と、前記ピン部材との係合を解除した後、前記分割体を再び前記正規位置に復帰可能にする付勢手段とを有している構成である（請求項２）。
(イ)前記カム部材は、前記分割体と該分割体を回動可能に支持しているベースとを有している構成である（請求項３）。
(ウ)前記カム部材は、前記分割体の下面に突出されて前記ベースに設けられた支持孔に挿通される軸部と、該軸部の先端側に固定されて軸部と一体に回動される連結板と、前記ベースの下面と前記連結板との間に配置されて前記分割体を前記ベース側へ付勢して軸方向の遊びを吸収する付勢手段とを有している構成である（請求項４）。
(エ)前記付勢手段は、請求項２の付勢手段、つまり前記ピン部材との係合を解除した後、前記分割体を再び前記正規位置に復帰可能にする付勢手段とを兼ねている構成である（請求項５）。
【００１３】
これに対し、請求項６の発明は、可動体の開閉装置として捉えたもので、本体に対し可動体を開位置又は途中から付勢力に抗した押し操作により閉位置に切り換えると共に、ラッチ装置を介して閉位置に係止する開閉装置において、前記ラッチ装置として請求項１から５の何れかに記載のラッチ装置を使用していることを特徴としている。
【発明の効果】
【００１４】
請求項１の発明では、ピン部材がカム部材の係止部に係合した状態（ラッチ装置の係止状態）で、係止部（係止部を含む分割体）がピン部材を介して無理抜き方向に一定値以上の負荷を受けると、該負荷を吸収する方向への移動を伴ってピン部材との係合を解除する。このため、この構造では、従来対策に比べて無理抜き時に係止部に擦り傷を生じたり破損の虞がなく、しかもピン部材と係合する係止部の位置がずれるというような不具合も確実に解消できる。
【００１５】
請求項２の発明では、分割体が移動規制手段を介して移動されると共に、移動後に付勢手段の付勢力にて再び正規位置に復帰することから、継続使用しても無理抜き対策として常に安定に作動し、それにより誤作動の発生を抑えて品質及び信頼性を向上できる。
【００１６】
請求項３の発明では、分割体をベースに対し回動可能に支持することにより、例えば、請求項１の「一定値以上の負荷を受けると、該負荷を吸収する方向への移動を伴ってピン部材との係合を解除可能にする」構成、請求項２の「移動規制手段」の構成として、形態例のごとく周方向に設けられて互いに嵌り合う凹凸などにより簡易に実施できる。
【００１７】
請求項４の発明では、ベースに対し分割体を回動可能に支持しながら、分割体の遊びを付勢手段により吸収して一体化を保ちやすくする。この場合、請求項５の発明では、更に部材数を抑えて簡易化を実現できる。
【００１８】
請求項６の発明では、以上のような利点を具備した開閉装置を提供し、それにより開閉装置の信頼性を向上できる。
【発明を実施するための最良の形態】
【００１９】
本発明の最良の形態について添付図面を参照しながら説明する。図１〜図３はラッチ装置の細部を示し、図４〜図６は該ラッチ装置を使用した蓋の開閉装置を示し、図７及び図８は該開閉装置において無理抜き時のラッチ装置の作動を示し、図９〜図１１はラッチ装置の主な構成部材を示す単品図である。以下の説明では、蓋の開閉装置、ラッチ装置、その組立及び作動の順に詳述する。
【００２０】
（開閉装置）形態の開閉装置は、図４〜図６に示されるように、本体１に対して蓋２を本体側開口部を塞ぐ図４の閉位置と、本体側開口部を全開する図５の開位置とに回動して切り換えると共に、閉位置で付勢力に抗して本発明のカム部材４及びピン部材５からなるラッチ装置３を介して解除可能に係止（ロック）する例である。
【００２１】
ここで、本体１は、内部が前後壁１０，１１と両側壁１２並びに底壁１３などにより区画されて上開口した容器状をなしている。前壁１０及び両側壁１２には鍔状の上フランジ部１５，１６が設けられている。両側壁１２の後側には、後壁１１との間に一段張り出した張出部１４が設けられると共に、フランジ部１６の対応部及び張出部１４の前端面に設けられた開口などを通じて内外が連通されている。そして、一方側壁１２には図３のごとく一段高くなった取付部１７が設けられ、該取付部１７に後述するラッチ装置３の主要部となるカム部材４がねじ部材Ｓ1などを介して取り付けられる。
【００２２】
他方側壁１２には不図示の凹部が設けられ、該凹部にダンパー６が取り付けられると共に、付勢ばね用の掛止め部１８が設けられている。ダンパー６は、例えば、公知のロータリー式のオイルダンパー等からなり、本体に充填された作動油の抵抗を受けている出力軸及び該出力軸に装着された回転ギア７を有している。そして、ダンパー６は、本体が他方側壁１２の凹部に位置決め配置された状態でねじ等により取り付けられる。但し、このダンパー６は省略してもよい。
【００２３】
蓋２は、矩形の板状をなし、両側に突設された支持用アーム２０又は２１を有している。各アーム２０，２１には不図示の取付孔が同軸線上に設けられている。また、一方のアーム２０には揺動片２２が前記取付孔より下側に装着されている。揺動片２２は、先端側内面に突設されてラッチ装置３に係脱するピン部材５を有している。他方のアーム２１には円弧状のギア部２３が形成されていると共に、付勢ばね用の掛止め部２４が設けられている。該ギア部２３は、前記取付孔を中心とした円弧であり、ダンパー６の回転ギア７に噛合可能となっている。
【００２４】
そして、以上の蓋２は、本体１に対し両側のアーム２０，２１が本体内から前記したフランジ部１６の開口及び張出部１４の前端面の開口などを通じて外、つまり側壁１２の外面側へ突出されると共に、各枢軸用ねじ部材Ｓ2をアーム２０の取付孔又はアーム２１の取付孔から側壁の対応部に係止することで回動可能に組み立てられる。その際、アーム２１側のギア部２３が回転ギア７と噛み合わされる。その後、付勢ばね８は、一端がアーム２１側の掛止め部２４に係止され、他端が付勢力を増大する方向へ引っ張られて本体側壁１２側の掛止め部１８に係止される。
【００２５】
以上の組立状態において、蓋２は、図４及び図６の実線で示されるように本体１の開口部を閉じた閉位置と、図５の実線及び図６の想像線で示されるように本体１の開口部を全開した開位置とに回動切り換えられる。閉位置では、蓋２がラッチ装置３つまりピン部材５とカム部材４との係合を介して付勢ばね８の付勢力に抗して係止されている。蓋２を開位置に切り換えるときは、蓋２の前側を下側（これは蓋２の閉位置から蓋を更に同方向、つまり閉方向への押し操作となる）に押して離す。すると、蓋２は、上述したピン部材５がカム部材４から係合解除された後、付勢ばね８の付勢力により開方向へ回動される。該回動過程では、蓋２がギア部２３と回転ギア７との噛み合いを介してダンパー６による制動を受ける。
【００２６】
（ラッチ装置）上記のラッチ装置３は、図１〜図７に示されるように、蓋２及び本体１にそれぞれ対応して設けられるカム部材４と該カム部材４に係脱するピン部材５とを備え、蓋２を、カム部材４に対するピン部材５の係合を介して本体１の閉位置に係止し、該閉位置から押した後、該押し力を解放することで前記係合を解除して開方向へ切換可能にするプッシュ・プッシュ式である。なお、ラッチ装置３としては、例えば、蓋２が本体１の閉方向へ付勢されている態様だと、付勢力に抗して開方向へ押して、カム部材４に対するピン部材５の係合を介して本体１の開位置に係止し、また、該開位置から同方向へ押した後、該押し力を解放することで前記係合を解除して閉方向へ切り換えるような使い方でもよい。
【００２７】
ここで、ピン部材５は上記したように揺動片２２に突設されている。カム部材４は、ピン部材５に対応して本体側壁１２に取り付けられるベース３０と、少なくともピン部材５と係合する係止凹部を含む箇所を形成してベース３０に移動可能に支持されている分割体４０と、分割体４０に連結される連結板４５と、分割体４０をベース３０に対し一定値以上の負荷を受けたときに正規位置から移動可能にする移動規制手段（凹部３７、凸部４４）と、ピン部材５との係合を解除した後、分割体４０を再び正規位置に復帰可能にする付勢手段９とを備えている。
【００２８】
ベース３０は、図９に示されるように、レバー部３１と、該レバー部３１の先端に一体化された分割体支持用の保持部３５とからなる。レバー部３１は、上周囲部が保持部３５側を除いて一段低い段差３１ａに形成されると共に、段差３１ａより高くなった箇所に設けられて上下貫通した取付孔３２と、保持部３５側に設けられた２本の逃げ溝３３と３４と、下面側にあって取付孔３２と逃げ溝３３，３４との間に凹設された欠肉部３１ｂとを有している。保持部３５は、略ドーナツ形をなし、上面が分割体４０に相当する分だけレバー部３１の上面より低く形成され、かつ中心に設けられて上下に貫通した支持孔３６を有している。
【００２９】
保持部３５の上面には、移動規制手段を構成している凹部３７が２箇所に形成されている。各凹部３７は、図９（ａ）において、内底面３７ａと、支持孔３６と同心の周端面３７ｂと、周方向に対向している対向端面３７ｃ，３７ｄとで区画されている。また、対向端面３７ｃ，３７ｄのうち、時計回りの方向に位置する対向端面３７ｃは内底面３７ａに対し略直角の面として形成されていると共に、逆時計回りの方向に位置する対向端面３７ｄは内底面３７ａに対し所定角の傾斜面として形成されている。
【００３０】
一方、保持部３５の下面には、支持孔３６を縁取るように突出されたボス部３８と、下面外周を縁取るように突出されたボス部３９などが設けられている。また、ボス部３９は、一部に設けられたばね係止用のスリット３９ａを有している。そして、この構造では、付勢手段９であるコイルばねがボス部３８の外周に配置され、上側に配される一端９ａがボス部側スリット３９ａに係止される。
【００３１】
分割体４０には、図１０に示されるように、上面にあって間隔を保って突出されている縦壁部４０ａ，４０ｂと、縦壁部４０ａ，４０ｂ同士の間に突出されているハート形島ないしは凸部４１及び該凸部４１の右側との間に隙間を保って突出されている副凸部４１ａと、ピン部材５がトレースするカム溝４２と、下面の略中心に突出されてベース側支持孔３６に挿通される軸部４３と、凹部３７と共に移動規制手段を構成している下面の２箇所に突出されている凸部４４とが形成されている。
【００３２】
図１０（ａ）と（ｃ）において、カム溝４２は、縦壁部４０ａと縦壁部４０ｂとの間のスペースのうち、左側に位置して広くかつ対応する周囲部に向かって低く傾斜している出入路４２ａと、凸部４１と縦壁部４０ｂとの間の住路４２ｃと、凸部４１と縦壁部４０ａとの間の復路４２ｂと、凸部４１の右側で住路４２ｃから更に延びる縦壁部４０ｂと副凸部４１ａとの間の延長路４２ｇと、凸部４１の右側で延長部４２ｇに通じている係止凹部４２ｅと、凸部４１の右側で復路４２ｂから更に延び縦壁部４０ａと副凸部４１ａとの間に位置し、かつ係止凹部４２ｅとも通じている延長路４２ｄ等で構成されている。なお、延長路４２ｄと延長路４２ｇとは、分割体４０がベース側保持部３５に組み付けられて通常の正規位置にあるとき、ベース側の逃げ溝３３と逃げ溝３４とに連続するように設定されている。
【００３３】
軸部４３は、ベース側支持孔３６に回動自在に貫通される径と長さに設定されており、先端４３ａが非円形に形成されると共に、先端から凹設されているタッピング用孔を有している。各凸部４４は、保持部側の対応する凹部３７に嵌り合う大きさであり、周方向に対向している対向端面のうち、時計回りの方向に位置する対向端面４４ａは保持部下面に対し略直角の面として形成されていると共に、逆時計回りの方向に位置する対向端面４４ｂは保持部下面に対し所定角の傾斜面として形成されている。このため、この移動規制手段は、分割体４０が保持部３５に対し支持孔３６と軸部４３との嵌合を介して支持されて、正規位置に配置された状態において、各凸部４４が対応する凹部３７に嵌合している。
【００３４】
連結体４５は、図１１に示されるように概略円板状をなし、中心の取付孔４６と、上面にあって取付孔４６を中心とした円上の複数箇所に突設されたばね位置決め部４７と、周囲の一部を欠如した該欠如部４８ａに対し隙間を保って突出されて下側に係止部４８ｂを形成している突片部４８と、下面にあって取付孔４６を中心とした凹状のボス部４９とを有している。
【００３５】
（組立）上記した分割体４０は、ベース側保持部３５に対し、軸部４３が支持孔３６に挿通された後、付勢手段９であるコイルばねがボス部３８の外周に配置された状態で一端９ａをボス部側スリット３９ａに係止し、その状態から、連結体４５が軸部先端４３ａに係合され、更にねじ部材Ｓ3が取付孔４６から軸部４３の筒内へねじ込まれることにより回動可能に支持される。また、分割体４０は、付勢手段９の他端９ｂがコイルばねに所定の付勢力を発現した状態（初期付勢力）で突片部４８の係止部４８ｂに係止することにより、図７及び図８のごとく逆時計回りの負荷によって凸部４４が凹部３７から外れて同方向へ回動した後、該負荷が解放されると、前記した付勢手段９の初期付勢力、及び逆時計回りの回動に伴って蓄積された付勢力とで正規位置に復帰可能となる。また、この構造では、図３（ｂ）から推察されるように、付勢手段９であるコイルばねが連結板４５を保持部３５から離間する方向へ付勢しており、それによって分割体４０が保持部３５側へ付勢されて軸方向の遊びも吸収されるようになっている。
【００３６】
（作動）蓋の開閉装置として、上記のラッチ装置３を使用した場合の基本作動は次の通りである。
（ア）、蓋２は、図５の実線及び図６の想像線で示す開位置から付勢ばね８の付勢力に抗して閉方向へ回動操作（押し操作）される。すると、蓋２が図５の想像線で示す位置を過ぎて更に回動されると、揺動片側のピン部材５がカム溝４２のうち、上記した出入路４２ａから住路４２ｃ、その先の延長路４２ｇに達する。蓋２から手を離す（押し力を解放する）と、ピン部材５が延長路４２ｇから係止凹部４２ｅに係合する（図１を参照）。蓋２は、その係合により図４で示す閉位置に係止される。
（イ）、蓋２を再び開位置に切り換えるときは、図４の状態から、蓋２を閉方向へ押し、該押し力を解放すると、蓋２が付勢ばね８の付勢力により開方向へダンパー６で制動されながら自動的に回動される。その際、ピン部材５は、上記係止凹部４２ｅから解除用延長路４２ｄ、復路４２ｂ、出入路４２ａを経てカム部材４から離れる。
【００３７】
また、蓋２の係止状態、つまりピン部材５がカム部材４の係止凹部４２ｅに係合した状態で、図４の矢印で示したように、蓋２の枢着部側を無理に押したり、蓋２の開放端側を無理にこじ開ける操作に起因した、いわゆる無理抜き方向の過剰な負荷を受けた場合の作動は次の通りである。
（ウ）、カム部材４はピン部材５と係合した状態で、分割体４０がピン部材５を介して一定値以上の負荷を受けると、該負荷を吸収する方向への移動を伴ってピン部材５との係合を解除する。すなわち、分割体４０は、無理抜き操作に起因してピン部材５を介して予め設定された一定値以上の負荷（逆時計回りの負荷）を受けると、ベース３０に対し図７（ｂ）及び図８（ｂ）に示した矢印方向へ回動される。この回動過程において、分割体４０は、上記した各凸部４４の対向端面４４ｂの傾斜面が凹部３７の対向端面３７ｄの傾斜面を乗り上げ（嵌合を解除し）ながら逆時計回りに回動されると共に、上記した付勢手段９に付勢力を蓄積する。
【００３８】
（エ）、そして、分割体４０が図７から図８の少し手前まで回動されると、ピン部材５が係止凹部４２ｅから係合解除する。分割体４０が更に回動されると、ピン部材５が延長路４２ｄを通ってカム部材４（分割体４０）から離れる。すると、分割体４０は、付勢手段９の付勢力により時計回りに回動されて、保持部３５に対し各凸部４４が対応する凹部３７に嵌合した正規位置に復帰される。これにより、この構造では、従来の無理抜き対策に比べて、ピン部材の変形・破損・脱落の虞がなく、更に不快な音も生じないため、品質及び信頼性を向上できる。
【００３９】
（オ）、なお、分割体４０は、正規位置で時計回りの負荷を受けても、凸部４４及び凹部３７の各直角となった端面同士の当接により、不用意に正規位置から時計回りに回動されないようになっている。すなわち、この構造において、移動規制手段は、凸部４４と凹部３７との形状設定と、付勢手段９の付勢力設定とにより請求項１に特定された「分割体を前記一定値以上の負荷を受けたときに正規位置から移動可能にする」点を充足させる構成であり、無理抜き対応荷重の調整が容易である。
【００４０】
なお、本発明は、請求項１で特定される技術要素を備えておればよく、細部は必要に応じて種々変更可能なものである。
【図面の簡単な説明】
【００４１】
【図１】本発明形態のラッチ装置を通常態様で示す上面図である。
【図２】（ａ）は上記ラッチ装置の左端面図、（ｂ）はラッチ装置の下面図である。
【図３】（ａ）は図１のＡ−Ａ線断面図、（ｂ）は図１のＢ−Ｂ線断面図である。
【図４】上記ラッチ装置を採用した開閉装置を蓋閉状態で示す一方の側面図である。
【図５】上記開閉装置を蓋開状態で示す一方の側面図である。
【図６】上記開閉装置を蓋閉状態で示す他方の側面図である。
【図７】（ａ）と（ｂ）は上記開閉装置を無理抜き初期過程での側面図とラッチ装置の状態図である。
【図８】（ａ）と（ｂ）は上記開閉装置を無理抜き最終過程での側面図とラッチ装置の状態図である。
【図９】上記ラッチ装置のベース単品を示し、（ａ）は上面図、（ｂ）は（ａ）のＣ−Ｃ線断面図、（ｃ）は下面図である。
【図１０】上記ラッチ装置の分割体単品を示し、（ａ）は上面図、（ｂ）は右端面図、（ｃ）は（ａ）のＤ−Ｄ線断面図、（ｄ）は下面図である。
【図１１】上記ラッチ装置の連結板単品を示し、（ａ）は上面図、（ｂ）は右端面図、（ｃ）は（ａ）のＥ−Ｅ線断面図、（ｄ）は下面図である。
【図１２】（ａ）と（ｂ）は特開２００２−３０３０７０号に挙げられているスイングタイプのラッチ装置を示す説明図である。
【図１３】（ａ）と（ｂ）は特許第３６７１８２４号に開示の無理抜き対応のラッチ装置を示す説明図である。
【符号の説明】
【００４２】
１…本体（１０と１１は前後壁、１２は側壁、１３は底壁、１４は張出部）
２…蓋（可動体に相当し、２０と２１はアーム、２２は揺動片）
３…ラッチ装置
４…カム部材
５…ピン部材
８…付勢ばね
９…付勢手段（９ａは一端、９ｂは他端）
３０…ベース（３１はレバー部、３５は保持部）
３７…凹部（移動規制手段）
４０…分割体（４０ａと４０ｂは縦壁部、４１はハート形凸部、４２はカム溝）
４２ｅ…係止凹部（係止部に相当）
４４…凸部（移動規制手段）
４５…連結体
【図１】
2008208684.tif 000003
【図２】
2008208684.tif 000004
【図３】
2008208684.tif 000005
【図４】
2008208684.tif 000006
【図５】
2008208684.tif 000007
【図６】
2008208684.tif 000008
【図７】
2008208684.tif 000009
【図８】
2008208684.tif 000010
【図９】
2008208684.tif 000011
【図１０】
2008208684.tif 000012
【図１１】
2008208684.tif 000013
【図１２】
2008208684.tif 000014
【図１３】
2008208684.tif 000015